(57)【要約】【課題】  所望のエネルギーを有する中性子を選別する。【解決手段】  中性子ビームを通過する通過部と、中性子ビームを遮断する中性子吸収材を含む遮断部とを有するディスク２を回転させる中性子ディスクチョッパにおいて、ディスク２の厚さが、回転中心側から外周側に向かって徐々に薄くなるように形成する。【選択図】  図１
2005300487.tif 000002
【特許請求の範囲】
【請求項１】
中性子ビームを通過する通過部と、前記中性子ビームを遮断する中性子吸収材を含む遮断部とを有するディスクを回転させる中性子ディスクチョッパにおいて、
前記ディスクの厚さが、回転中心側から外周側に向かって徐々に薄くなるように形成されていることを特徴とする中性子ディスクチョッパ。
【請求項２】
中性子ビームを通過する通過部と、前記中性子ビームを遮断する中性子吸収材を含む遮断部とを有するディスクを回転させる中性子ディスクチョッパにおいて、
前記ディスクは、
前記中性子吸収材が含浸され、半径方向よりも円周方向に繊維強化材が多く配向された繊維強化複合材料から形成されていることを特徴とする中性子ディスクチョッパ。
【請求項３】
前記繊維強化複合材料が、
繊維強化樹脂であることを特徴とする請求項２に記載の中性子ディスクチョッパ。
【請求項４】
前記ディスクの厚さが、回転中心側から外周側に向かって徐々に薄くなるように形成されていることを特徴とする請求項２又は３に記載の中性子ディスクチョッパ。
【請求項５】
前記中性子吸収材が、
同位体１０Ｂと同位体１１Ｂとを有するホウ素であり、前記ホウ素中における前記同位体１０Ｂの濃縮度が同位体１１Ｂの濃縮度よりも高いことを特徴とする請求項１〜４の何れか１項に記載の中性子チョッパ。
【発明の詳細な説明】
【技術分野】
【０００１】
本発明は、中性子を試料に照射し、散乱された中性子から試料内部の構造等を分析する中性子ディスクチョッパに関するものである。
【背景技術】
【０００２】
試料の物性（内部構造）を分析するために、様々なエネルギーを有するパルス状の中性子ビームから所望のエネルギーを有する中性子を選別し、かかる中性子を試料に照射して、試料で散乱された中性子を観測して試料の物性を分析する装置がある。これまでに、スリットがあけられた薄い円板を中性子ビームの通路上に配置し、円板を回転させ、回転する円板に照射された中性子ビームを、スリット部で通過させ、スリット部以外で吸収（遮断）させる繰り返しにより所望のエネルギーを有する中性子を選別する様々な中性子チョッパが提案されている（例えば、非特許文献１）。
【０００３】
【非特許文献１】星埜  禎男著  「実験物理学講座２２  中性子解析」  共立出版株式会社  Ｐ９０−９１
【発明の開示】
【発明が解決しようとする課題】
【０００４】
しかしながら、高精度に所望のエネルギーを有する中性子を選別するためには、円板を高速に回転する必要があり、高速回転にともない大きな遠心力が発生するため、高速回転による遠心力に耐え得る強度を有するアルミニウムのような金属材料を用いている非特許文献１の中性子チョッパでは、円板の回転数や周速が制限されてしまい、高精度に所望のエネルギーを有する中性子を選別できない場合がある。
【０００５】
そこで、本発明の目的は、所望のエネルギーを有する中性子を高精度に選別できる中性子チョッパを提供することである。
【課題を解決するための手段及び効果】
【０００６】
本発明は、中性子ビームを通過する通過部と、中性子ビームを遮断する中性子吸収材を含む遮断部とを有するディスクを回転させる中性子ディスクチョッパにおいて、ディスクの厚さが、回転中心側から外周側に向かって徐々に薄くなるように形成されている。この構成によると、遠心力に対する耐久性を向上させることができる。遠心力はディスクの比重に比例して大きくなり、ディスクの回転中心部は外周部を支持しているため、ディスクの外周部よりも回転中心部の方が遠心力による応力（引張力）が大きくなる。このため、ディスクの外周部を薄くすることで、回転中心部における遠心力による応力を小さくでき、ディスク全体の強度をほぼ一様にすることができる。これにより、ディスクを高速に回転させることができる。
【０００７】
別の観点において、本発明は、中性子ビームを通過する通過部と、中性子ビームを遮断する中性子吸収材を含む遮断部とを有するディスクを回転させる中性子ディスクチョッパにおいて、ディスクは、中性子吸収材が含浸され、半径方向よりも円周方向に繊維強化材が多く配向された繊維強化複合材料から形成されている。この構成によると、遠心力による応力において、半径方向の最大応力よりも円周方向の最大応力の方が高いため、円周方向の引張強度が半径方向の引張強度よりも高くすることで、遠心力による応力がディスクにおいて一様となるように形成することができ、高速回転を可能にすることができる。また、繊維強化複合材料は、比重が小さいため遠心力を低減することができ、ディスクを高速に回転することができる。
【０００８】
また、本発明の繊維強化複合材料が、繊維強化樹脂であることが好ましい。これによると、比重が小さく、高強度であるため、ディスク２をより高速に回転させることができる。
【０００９】
本発明のディスクの厚さが、回転中心側から外周側に向かって徐々に薄くなるように形成されていることが好ましい。これによると、外周部に向かってディスクの厚さを薄くすることで、ディスク全体の遠心力に対する強度を一様にすることができ、ディスクをより高速に回転させることができる。
【００１０】
本は発明の中性子吸収材が、同位体１０Ｂと同位体１１Ｂとを有するホウ素であり、前記ホウ素中における前記同位体１０Ｂの濃縮度が同位体１１Ｂの濃縮度よりも高いことが好ましい。これによると、中性子ビームの吸収能力が向上し、高いエネルギーの中性子ビームが照射されても、十分に吸収することができる。また、ホウ素は、同位体１０Ｂと同位体１１Ｂとを有しており、中性子の吸収能力が優れた同位体１０Ｂの濃縮度を同位体１１Ｂの濃縮度よりも高くする、例えば、同位体１０Ｂの濃縮度を９５％程度まで高めることにより、天然のホウ素に比べ５倍程度、中性子ビームの吸収能力を高めることができる。
【発明を実施するための最良の形態】
【００１１】
以下、本発明の好適な実施の形態について図面を参照しつつ説明する。
【００１２】
（第１の実施形態）
本実施の形態に係る中性子ディスクチョッパ１ａ・１ｂは、例えば、図３に示すような、試料５の原子配列構造、原始、分子の運動状態と物性や機能の関係等に関する情報を得るための中性子実験装置１０に好適に用いられる。中性子実験装置１０は、第１中性子ディスクチョッパ１ａと、第２中性子ディスクチョッパ１ｂと、パルス中性子源６と、中性子導管７と、真空散乱槽８とから構成されている。
【００１３】
パルス中性子源６は、パルス状の白色中性子（中性子ビーム）を発生させるものである。ここで、白色中性子とは、様々なエネルギー（速度）を有する中性子の集まりである。中性子導管７は、パルス中性子源６と第１中性子ディスクチョッパ１ａとの間や、第１ディスクチョッパ１ａと第２ディスクチョッパ１ｂとの間等に配設され、白色中性子中の中性子を損失しないように各装置に導くものである。
【００１４】
第１ディスクチョッパ１ａは、パルス中性子源６の近傍に配置され、白色中性子のパルスの整形を行うものであり、第２ディスクチョッパ１ｂは、試料５の直前に配置され、白色中性子から、あるエネルギー（速度）だけを有する単色中性子を選別するものである。上述したように、第１ディスクチョッパ１ａと第２ディスクチョッパ１ｂとの間には中性子導管７が配置されている。ここで、中性子ディスクチョッパ１ａ・１ｂについて詳述する。
【００１５】
中性子ディスクチョッパ１ａ・１ｂは、図１及び図２に示すように、ディスク２と、ディスク２を保護するハウジング２ａと、ディスク２をハウジング２ａ内で回転させる回転モータ２ｂと、回転モータ２ｂを支持するスタンド２ｃとを有している。ハウジング２ａは、アルミニウムから形成され、ディスク２を挟み込むように固設されている。また、ハウジング２ａは、ディスク２が回転可能なようにディスク２の周囲に密閉構造の空隙を形成しており、空隙内を、回転する際の抵抗を少なくし、中性子が空気に散乱し、損失しないよう１３３[Ｐａ]以下の真空度に設定している。さらに、ハウジング２ａには、中性子ビームが通過可能なアルミニウム製薄板のビーム窓２ｄが設けられており、中性子ディスクチョッパ１は、このビーム窓２ｄが中性子ビームの通路上に位置するように配置されている。
【００１６】
ディスク２は、小さい比重で、高強度の材料、例えば、アルミニウム合金やチタン合金等から形成された、中心に円形状の空所を有する薄い円板であり、図１（ａ）に示すように、中性子ビームを通過させる、幅ｄを有するスリット３（通過部）が設けられている。ディスク２の比重が小さく、高強度の材料とすることで、遠心力に対する耐久性が向上し、ディスク２を高速に回転させることができるようになっている。また、ディスク２は、板部材２ｅでディスク２の中心の空所を覆うように挟み込まれて図示しないボルトなどで固定され、さらに、板部材２ｅが回転モータ２ｂの出力軸に回転可能設けられている。これにより、ディスク２は、高速に回転するようになっている。ディスク２にスリット３を設けて、ディスク２を回転させることにより、ハウジング２ａのビーム窓２ｄとスリット３との位置関係により、白色中性子の通過と遮断とを繰り返すことができるようになっている。以下の説明において、ディスク２におけるスリット３以外の領域を遮断部と称する。また、後に詳述するが、ディスク２の遮断部は、中性子ビームを吸収する吸収材を有している。
【００１７】
具体的には、上述したように、ビーム窓２ｄは白色中性子の通路上に位置しているが、白色中性子は内部のディスク２の遮断部により遮られている。しかし、ディスク２が回転し、スリット３とビーム窓２ｄとが重合すると、白色中性子は通過するようになる。さらにディスク２が回転し、スリット３とビーム窓２ｄとが重合しなくなると、中性子ビームは遮断部によって再び遮られるようになる。この白色中性子の通過と遮断との繰り返しにより、第１ディスクチョッパ１ａで白色中性子のパルスの整形ができ、また、パルス中性子源６で発生した白色中性子のうち、必要なエネルギー（速度）を有する単色中性子が第２中性子ディスクチョッパ１ｂに到達するタイミングに合わせて、ディスク２を高速回転させて行うことにより、単色中性子の選別ができるようになっている。
【００１８】
ここで、ディスク２の回転角速度をω、第１中性子ディスクチョッパ１ａのスリット３と第２中性子ディスクチョッパ１ｂのスリット３との角度をφ、第１中性子ディスクチョッパ１ａと第２中性子ディスクチョッパ１ｂとの距離をＬとすると、選別される単色中性子の速度ｖは、ｖ＝Ｌω／φと表すことができる。また、中性子ディスクチョッパ１ａ及び中性子ディスクチョッパ１ｂのディスク２の幅をｄ１、ｄ２、ディスク２の中心から中性子ビームまでの距離をＲとすると、波長分解能（白色中性子の波長を細かく分ける能力）Δλ／λは、Δλ／λ＝（ｄ１＋ｄ２）ｖ／ＬＲωと表すことができる。ここで、波長分解能とは、白色中性子の波長λと、波長λ中の識別できる最小の波長（単色中性子の波長）Δλとの比を言う。上述の式から読取れるように、角速度ωを大きくする、即ち、ディスク２を高速回転することにより、白色中性子を高い分解能で識別する、つまり、精度のよく単色中性子を選別することができる。
【００１９】
また、ディスク２は、図１(ｂ)に示すように、回転中心部近傍において一様の厚さを有し、ディスク２の円周部分に向かって徐々に厚さが薄くなるように形成されている。ディスク２にかかる遠心力は、上述したように、比重に比例して大きくなり、ディスク２の回転中心部はその外周部を支持しているため、外周部にかかる遠心力をも支持している。従って、ディスク２の回転中心部における遠心力の応力が、外周部における遠心力の応力よりも大きくなっている。このため、ディスク２の回転中心部近傍を一様の厚さにし、円周部分に向かって薄くすることで、遠心力による応力がディスク２において一様となるようにすることができるため、よりディスク２を高速に回転することができる。尚、ディスク２の中心部における厚さをｈ１、外周部における厚さをｈ２とすると、ｈ２＝ｈ１×exp｛（−γ×ω２ｒ２）／（２ｇＨ）｝を満足することが好ましい。ここで、γはディスク２の比重、ωはディスク２の角速度、ｒはディスク２の中心からの距離、ｇは重力加速度、Ｈはディスク２の遠心力による応力の許容値である。尚、回転中心部近傍の厚さを一様としているが、回転中心から円周部分に向かって厚さが薄くなるよう、つまり、ディスク２の表面全体が傾斜するようにしてもよい。
【００２０】
また、ディスク２の遮断部は、中性子ビームを吸収する吸収材（中性子吸収材）としてホウ素を有している。具体的には、金属材料のディスク２の表面に濃縮されたホウ素が塗布されている。かかるホウ素は、同位体１０Ｂと同位体１１Ｂとを有しており、同位体１０Ｂの濃縮度が同位体１１Ｂの濃縮度よりも高くなっている。具体的には、同位体１０Ｂの濃縮度が９５％以上、つまり、１０Ｂ／（１０Ｂ＋１１Ｂ）＞９５％を満たしている。ディスク２がホウ素を有し、かつ、中性子の吸収能力が優れている同位体１０Ｂの濃縮度を９５％程度まで高めることで、天然ホウ素に比べ５倍程度、中性子ビームの吸収能力を高めることができるようになっている。さらに、ホウ素は、他の吸収材のガドリニウムなどに比べると、中性子ビームの吸収能力が向上し、例えば、１００ｍｅＶ以上の高いエネルギーの中性子ビームが照射されても、十分に中性子ビームを吸収（遮断）することができる。これにより、試料５に中性子を照射して散乱させた際のノイズを低減することができる。
【００２１】
真空散乱槽８は、試料５に当たって散乱した単色中性子を検出して、試料５の物性を解析するものであり、試料５は、第２中性子ディスクチョッパ１ｂにより選別された単色中性子の通路上に位置するように配置されている。真空散乱槽８は、図示しない演算器等を有しており、試料５で散乱した単色中性子の飛行速度などを測定し、その測定結果と予め入力されている試料５の成分とを照らし合わせて、試料５を解析することができるようになっている。
【００２２】
次に、中性子実験装置１０の動作について説明する。
【００２３】
様々なエネルギーをもつ中性子ビームは、パルス中性子源６で生成され、中性子導管７を通り、第１中性子ディスクチョッパ１ａに入射される。第１中性子ディスクチョッパ１ａに入射した中性子ビームのパルスが整形され、第２中性子ディスクチョッパ１ｂを通過することで、測定に用いる特定のエネルギーを有する中性子、つまり、単色中性子が選別される。選別された単色中性子は、試料５に当たり、散乱する。そして、真空散乱槽８により、散乱した単色中性子の飛行時間などを測定することで、試料５の物性を解析する。
【００２４】
以上、説明したように、本実施の形態は、中性子ビーム（白色中性子）を通過する通過部と、中性子ビームを遮断する中性子吸収材を含む遮断部とを有するディスク２を回転させる中性子ディスクチョッパ１ａ・１ｂにおいて、ディスク２の厚さが、回転中心側から外周側に向かって徐々に薄くなるように形成されている。これによると、遠心力に対する耐久性を向上させることができる。遠心力はディスク２の比重に比例して大きくなり、ディスク２の回転中心部は外周部を支持しているため、ディスク２の外周部よりも回転中心部の方が遠心力による応力（引張力）が大きくなる。このため、ディスク２の外周部を薄くすることで、回転中心部における遠心力による応力を小さくでき、ディスク２全体の強度をほぼ一様にすることができる。これにより、ディスク２を高速に回転させることができる。
【００２５】
また、中性子吸収材が、同位体１０Ｂと同位体１１Ｂとを有するホウ素であり、ホウ素中における前記同位体１０Ｂの濃縮度が同位体１１Ｂの濃縮度よりも高くなっている。これによると、中性子ビームの吸収能力が向上し、高いエネルギーの中性子ビームが照射されても、十分に吸収することができる。また、ホウ素は、同位体１０Ｂと同位体１１Ｂとを有しており、中性子の吸収能力が優れた同位体１０Ｂの濃縮度を同位体１１Ｂの濃縮度よりも高くする、例えば、同位体１０Ｂの濃縮度を９５％程度まで高めることにより、天然のホウ素に比べ５倍程度、中性子ビームの吸収能力を高めることができる。
【００２６】
また、本発明を好適な実施の形態に基づいて説明したが、本発明はその趣旨を超えない範囲において変更が可能である。即ち、ディスク２の吸収材が含有するホウ素は、酸化ホウ素、ホウ酸、炭化ホウ素などであってもよい。また、ホウ素の同位体１０Ｂの濃縮度が９５％以上でなくても良いし、中性子を吸収する吸収材がホウ素でなくてもよい。例えば、カドミニウム等であってもよい。また、本実施の形態では、ディスク２が、中性子ビームを吸収する吸収材が塗布されたアルミ合金などの金属材料としているが、これに限定されず、吸収材を含浸した繊維強化樹脂などであってもよい。
【００２７】
さらに、ディスク２の中性子ビームを通過させるためのスリット３を、図５（ａ）に示すように、ハウジング２ａのビーム窓２ｄと同形状であってもよい。また、ディスク２の厚さなどは上述の実施の形態の数値、式には限定されない。さらに、上述の実施の形態では、パルス中性子源６はパルス状の白色中性子を発生させているが、連続した白色中性子を発生させるものであってもよい。
【００２８】
（第２の実施形態）
次に、本発明の第２の実施の形態について説明する。本実施の形態は、ディスク２の材料を繊維強化複合材料とする点で、第１の実施形態と相違している。具体的には、ディスク２は、炭素繊維強化エポキシ樹脂から形成されている。ここで、炭素繊維強化エポキシ樹脂は、炭素繊維とエポキシ樹脂とを含む複合材料をいう。ディスク２を炭素繊維とすることで、例えば、ディスク２をアルミニウムの金属材料から形成する場合との対比において、アルミニウムの比重が２．７[ｇ／ｍｍ２]に対して、炭素繊維強化エポキシ樹脂は１．５[ｇ／ｍｍ２]であるため、ディスク２の比重が軽くなる。また、アルミニウムの引張強度が２０〜６０[ｋｇｆ／ｍｍ２]に対して、炭素繊維強化エポキシ樹脂の０°引張強度は２００〜３００[ｋｇｆ／ｍｍ２]であるため、ディスク２の強度が強くなる。ここで、引張強度は、ディスク２の単位面積あたりに耐えられる最大引張荷重である。ディスク２を回転させると、遠心力が付与されるが、かかる遠心力はディスク２の比重に比例するため、ディスク２を炭素繊維強化エポキシ樹脂で形成することで、比重が軽く、かつ、強度が強くなるため、遠心力に対して耐久性が向上し、ディスク２を高速に回転させることができるようになる。
【００２９】
【表１】
2005300487.tif 000003
【００３０】
表１は、炭素繊維強化エポキシ樹脂およびアルミニウムから形成される厚さが一様なディスク２（図５参照）を、周速７２２ｍ／ｓ、半径０．３ｍ、回転数２３０００ｒｐｍのパラメータで回転させた場合の、ディスク２の遠心力による応力を表している。尚、ここで応力とは、ディスク２を回転させた際の遠心力よって生じる、円周方向と半径方向との引張力をいう。表１に示すように、半径方向及び円周方向の最大応力は、アルミニウムが、４１．７[ｋｇｆ／ｍｍ２]、１２０．７[ｋｇｆ／ｍｍ２]に対して、炭素繊維強化エポキシ樹脂が２３．５[ｋｇｆ／ｍｍ２]、６８．０[ｋｇｆ／ｍｍ２]となり、炭素繊維強化エポキシ樹脂の方がアルミニウムよりも各応力が小さくなっている。
【００３１】
また、ディスク２は、円周方向の引張強度が半径方向の引張強度よりも高くなるように、具体的には、円周方向の引張強度が半径方向よりも２〜４倍高くなるように、半径方向よりも円周方向に炭素繊維が多く配向され形成されている。表１に示すように、円周方向の最大応力が、半径方向の最大応力よりも２倍ほど大きくなる。炭素繊維強化エポキシ樹脂でディスク２を形成する場合、ディスク２の引張強度は炭素繊維に依存するため、半径方向よりも円周方向に炭素繊維が多く配向することで、円周方向の引張強度を半径方向の引張強度よりも高くし、ディスク２の強度に異方性を持たせることで、遠心力による応力に対する強度がディスク２において一様となるように形成することができ、高速回転を可能とすることができる。
【００３２】
尚、ディスク２の高速回転の遠心力に対する耐久性をさらに向上されるため、ディスク２の厚さを回転中心から外周に向かって徐々に薄くするように、ディスク２を形成することが好ましい。さらに、炭素繊維強化エポキシ樹脂に、中性子ビームを吸収する吸収材として、同位体１０Ｂと同位体１１Ｂとを有するホウ素とし、中性子の吸収能力が優れた同位体１０Ｂの濃縮度を同位体１１Ｂの濃縮度よりも高くするようにすることが好ましい。この場合、吸収材を吸収能力が高いホウ素とすることで、炭素繊維強化エポキシ樹脂の炭素繊維とエポキシ樹脂との混合比率を低下させることがなくなり、ディスク２は、強度を保持しつつ、中性子吸収材を有することができる。
【００３３】
以上、説明したように、本実施の形態は、中性子ビームを通過する通過部と、中性子ビームを遮断する中性子吸収材を含む遮断部とを有するディスク２を回転させる中性子ディスクチョッパにおいて、ディスクは、中性子材（ホウ素）が含浸され、半径方向よりも円周方向に繊維強化材（炭素繊維）が多く配向された繊維強化複合材料（炭素繊維強化エポキシ樹脂）から形成されている。この構成によると、遠心力による応力において、半径方向の最大応力よりも円周方向の最大応力の方が高いため、円周方向の引張強度が半径方向の引張強度よりも高くすることで、遠心力による応力がディスクにおいて一様となるように形成することができ、高速回転を可能にすることができる。また、炭素繊維強化エポキシ樹脂は、比重が小さいため遠心力を低減することができ、ディスク２を高速に回転することができる。
【００３４】
尚、上述の実施の形態では、ディスク２を炭素繊維強化エポキシ樹脂から形成しているが、これに限定されることはなく、他の繊維強化複合材料であってもよい。また、ディスク２の厚さを一様にしてもよいし、中性子ビームを吸収する吸収材をホウ素としなくてもよい。また、円周方向の引張強度が半径方向よりも２〜４倍高くなるように、半径方向よりも円周方向に炭素繊維を多く配向しているが、この数値に限定されることはない。
【００３５】
本発明は、上記の好ましい実施形態に記載されているが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【図面の簡単な説明】
【００３６】
【図１】（ａ）本発明の第１の実施の形態に係る中性子チョッパのディスクの正面図。（ｂ）本発明の第１の実施の形態に係る中性子チョッパのディスクの側面図。
【図２】（ａ）本発明の第１の実施の形態に係る中性子チョッパの正面透視図。（ｂ）本発明の第１の実施の形態に係る中性子チョッパの側面断面図。
【図３】図２に描かれた中性子チョッパを用いた分光器の概略図。
【図４】図３に描かれたモノクロメータの有する２つの中性子チョッパのディスク部分の拡大図。
【図５】（ａ）本発明の第２の実施の形態に係る中性子チョッパのディスクの正面図。（ｂ）本発明の第２の実施の形態に係る中性子チョッパのディスクの側面図。
【符号の説明】
【００３７】
１ａ  第１中性子ディスクチョッパ
１ｂ  第２中性子ディスクチョッパ
２    ディスク
２ｂ    回転モータ
２ｃ    スタンド
２ｄ    ビーム窓
２ｅ    板部材
３    スリット
５    試料
６    中性子源
７    中性子導管
８    検出器
９    モノクロメータ
１０    中性子実験装置
【図１】
2005300487.tif 000004
【図２】
2005300487.tif 000005
【図３】
2005300487.tif 000006
【図４】
2005300487.tif 000007
【図５】
2005300487.tif 000008